(57)【要約】【課題】本発明は、画像を表示する画像表示装置に関し、携帯性と大面積の表示画面とを高い次元で両立させる。【解決手段】回動軸１１で連結され互いに開閉自在な２つの枠体１２１，１２２と、それら２つの枠体１２１，１２２が閉じられたときの内側にそれら２つの枠体に支持されて配備され、それら２つの枠体が閉じられたときに回動軸１１の近傍が湾曲した状態に、２つに折り畳まれ、それら２つの枠体が開かれたときに開く、画像を表示する可撓性の表示画面１４と、それら２つの枠体のうちの一方の枠体１２２に、表示画面１４上に載る収納位置と表示画面１４上から開いた使用位置との間で回動自在に支持され、収納位置に回動して２つの枠体１２１，１２２を閉じることにより表示画面１４に挟まれた状態に収納されるユニット２２とを備えた。【選択図】        図４
2006072115.tif 000002
【特許請求の範囲】
【請求項１】
互いに開閉自在な２つの枠体を有する外装と、
前記２つの枠体が閉じられたときの内側に配備され、該２つの枠体が閉じられたときに一部が湾曲した状態に２つに折り畳まれ、該２つの枠体が開かれたときに開く、画像を表示する可撓性の表示画面とを備えたことを特徴とする画像表示装置。
【請求項２】
前記外装に接続され、前記２つの枠体が閉じられたときに、折り畳まれた表示画面に挟まれた位置に収納され、該２つの枠体が開かれたときには、前記表示画面の外側に移動可能なユニットを備えたことを特徴とする請求項１記載の画像表示装置。
【請求項３】
前記ユニットが、前記表示画面を駆動する電力を供給するバッテリを備えたユニットであることを特徴とする請求項２記載の画像表示装置。
【請求項４】
前記ユニットが、前記表示画面を駆動する駆動回路を備えたユニットであることを特徴とする請求項２記載の画像表示装置。
【請求項５】
前記ユニットが、被写体光を捉えて画像信号を生成するカメラを備えたユニットであることを特徴とする請求項２記載の画像表示装置。
【請求項６】
前記ユニットが、指示入力用の操作部を備えたユニットであることを特徴とする請求項２記載の画像表示装置。
【請求項７】
前記表示画面は、前記２つの枠体が開かれたときに該表示画面が略平面となるように、該表示画面の両端が前記外装に支持されたものであることを特徴とする請求項１記載の画像表示装置。
【請求項８】
前記表示画面は、前記２つの枠体が開かれたときに該表示画面が略平面となるように、該表示画面の中央部分が前記外装に支持されたものであることを特徴とする画像表示装置。
【発明の詳細な説明】
【技術分野】
【０００１】
本発明は、画像を表示する画像表示装置に関する。
【背景技術】
【０００２】
携帯型機器において、携帯性の向上と大面積の表示画面の搭載との相矛盾する要求を同時に満すために、複数の表示画面を開閉自在に連結しそれら複数の表示画面全体に１つの画像を表示することにより、大面積の表示画面と同等の機能を実現することが提案されている（特許文献１参照）。また、近年では有機ＥＬ表示部材等の可撓性表示部材が登場してきており、その可撓性表示部材を巻き取って収納し、使用時には巻き戻して広げることにより大面積の表示画面を実現することが提案されている（特許文献２、３参照）。
【特許文献１】特許第２６４５３０６号公報
【特許文献２】特開２００１−１００６６１号公報
【特許文献３】特開２００３−３０９７４４号公報
【発明の開示】
【発明が解決しようとする課題】
【０００３】
上述の複数の表示画面を開閉自在としそれら複数の表示画面を並べて１つの画像を表示する技術の場合、折り畳むことにより収納性、携帯性は向上するが、それら複数の表示画面に１つの画像を表示する場合に表示画面どうしの境界部分に画像が表示されないライン状の領域がどうしても残り、その部分の表示が欠けた画像が表示されるという欠点がある。
【０００４】
また、上述の有機ＥＬ表示部材等の可撓性表示部材を巻き取る構成の場合、装置全体としてはその巻き取った可撓性表示部材を広げる領域が必要であるため、巻き取る構成を備えたことによって直ちに携帯性が向上する訳ではない。また、上述の特許文献３ではその可撓性表示部材が極めて小さい径に巻き取ることができるかのように描かれているが、可撓性とは言っても薄いフィルムのようなしなやかさを期待するのは困難である。
【０００５】
本発明は、上記事情に鑑み、携帯性と大面積の表示画面とを高い次元で両立させた画像表示装置を提供することを目的とする。
【課題を解決するための手段】
【０００６】
上記目的を達成する本発明の画像表示装置は、
互いに開閉自在な２つの枠体を有する外装と、
上記２つの枠体が閉じられたときの内側に配備され、それら２つの枠体が閉じられたときに一部が湾曲した状態に２つに折り畳まれ、それら２つの枠体が開かれたときに開く、画像を表示する可撓性の表示画面とを備えたことを特徴とする。
【０００７】
本発明の画像表示装置は、開閉自在な２つの枠体を備えているため、それら２つの枠体を閉じることにより携帯性が向上し、開くことにより、それら２つの枠体に跨って広がり、しかも継ぎ目のない表示画面が実現する。
【０００８】
ここで、上記本発明の画像表示装置において、上記外装に接続され、上記２つの枠体が閉じられたときに、折り畳まれた表示画面に挟まれた位置に収納され、上記２つの枠体が開かれたときには、表示画面の外側に移動可能なユニットを備えることが好ましい。
【０００９】
表示画面は、可撓性を有していても筋目が形成されるように２つ折りされる訳ではなく湾曲した状態となる。このため、その表示画面を折り畳んだときの中央に空間が存在する。そこでその空間にユニットを配置することで、空間の無駄が生じず、収納性、携帯性がさらに向上する。
【００１０】
このユニットは、例えば、上記表示画面を駆動する電力を供給するバッテリを備えたユニットであってもよく、上記表示画面を駆動する駆動回路を備えたユニットであってもよく、被写体光を捉えて画像信号を生成するカメラを備えたユニットであってもよく、指示入力用の操作部を備えたユニットであってもよい。
【００１１】
また、上記表示画面は、上記２つの枠体が開かれたときにその表示画面が略平面となるように、その表示画面の両端が外装に支持されたものであってもよく、あるいは、上記表示画面は、上記２つの枠体が開かれたときにその表示画面が略平面となるように、その表示画面の中央部分が外装に支持されたものであってもよい、
【発明の効果】
【００１２】
本発明によれば、携帯性と広い表示画面の搭載との双方を高い次元で両立させた画像表示装置が実現する。
【００１３】
また、本発明によれば、表示画面に見苦しい筋目や折れ線が生じず、表示画面が見やすいばかりでなく、携帯時は構造的に脆弱な表示画面が剛性の高い枠体によって保護されるので、表示画面にキズや破損が生じない。
【発明を実施するための最良の形態】
【００１４】
以下、本発明の実施形態について説明する。
【００１５】
図１は、本発明の画像表示装置の第１実施形態の外観を示す図、図２は、図１に示す画像表示装置の開いた状態の断面図、図３は、図１を示す画像表示装置の閉じた状態の断面図である。
【００１６】
この画像表示装置１０は、携帯電話として使用可能な画像表示装置であり、図１に示すようにこの画像表示装置１０には、回動軸１１で連結された互いに開閉自在な２つの枠体１２１，１２２を有する外装１２が備えられている。この外装１２はこの画像表示装置３０を保護する、例えば硬質プラスチック等の硬い材質でできている。またそれら２つの枠体１２１，１２２が閉じられたときの内側には、２つの枠体１２１，１２２を開くと略平面となるようにそれら２つの枠体１２１，１２２に両端が支持された表示画面１４が広がっている。図１では、この表示画面１４には、従来の携帯電話の表示画面に似た画像の一部としての表示画面１４１や、従来の携帯電話の押ボタンに似た、画像の一部としての押ボタン１４２や、画像の一部としてのメニュー画像１４３が表示されている。画像の一部としての押ボタン１４２は、その背後にタッチセンサ１５（図２参照）が配備されており、その表示された押ボタン１４２を指で触れることにより指で触れたことがタッチセンサ１３で検出される。
【００１７】
この画像表示装置１０の内部には、図２に示すように、タッチセンサ１５のほか、様々な回路部品が搭載されて電話機能や表示画面１４への画像表示制御機能などが実現された回路基板１６、電話機能を実現するための小型のマイクロホン１７や小型の発音体１８、および回路駆動用のバッテリ１９などが組み込まれている。表示画面１４は、例えば有機ＥＬ表示部材等で形成された可撓性の表示画面である。
【００１８】
この画面表示装置１０は、回動軸１１を中心に、図２に示す矢印方向に開閉自在となっており、閉じることにより携帯性が高められ、かつ開いた状態では内側のほぼ全面に広がる広い表示画面１４を実現している。
【００１９】
この表示画面１４は、２つの枠体１２１，１２２が閉じられたときには、図３に示すように、回動軸１１の近傍の部分が湾曲した状態に２つに折り畳まれる。このような１つに広がる表示画面を採用すると、複数の表示画面を積み重ねるように折り畳み、広げて横に並べることにより１つの表示画面のように画像を表示する技術と比べ、表示がライン状に途切れて見にくくなるような欠点もない。
【００２０】
以下では、各種実施形態について説明するが、図３に示した第１実施形態との共通の内容については説明は省略し、各実施形態の特徴部分について説明する。
【００２１】
図４は、本発明の第２実施形態としての画像表示装置を示す開いた状態の外観斜視図、図５は、図４に示す画像表示装置の閉じた状態の断面図である。図１〜図３に示す第１実施形態の構成要素と同一の構成要素には、分かり易さのため、多少の形状の相違等があっても同一の符号を付して示す。以下の各実施形態についても同様である。
【００２２】
図４に示すように、この第２実施形態の画像表示装置２０には、外装１２を構成する２つの枠体１２１，１２２のうちの一方の枠体１２２に対し軸２１で回動自在に支持されるバッテリユニット２２が備えられている。このバッテリユニット２２を備えたことにより、前述した第１実施形態において内蔵されていたバッテリ１９（図２参照）を無くしてその分薄型化あるいは小型化を実現してもよく、あるいは、この内蔵のバッテリ１９を備えるとともに、全体として大容量のバッテリを実現するためにこのバッテリユニット２２を備えていてもよい。
【００２３】
図４に示すバッテリユニット２２は、矢印Ａ方向に回動させて表示画面１４上に載せた収納位置と図４に示すように表示画面１４上から開いた使用位置との間で回動自在となっている。このバッテリユニット２２を矢印Ａ方向に回動させて表示画面１４上に載った収納位置に置いて枠体１２１を矢印Ｂ方向に閉じることにより、図５に示すように、バッテリユニット２２が表示画面１４に挟まれた状態に収納される。
【００２４】
前述したように、表示画面１４は回動軸１１の近傍が湾曲した状態に折り畳まれ、このため折り畳まれた状態の表示画面１４の間に空間が形成される。この第２実施形態の画像表示装置２０によればその空間にバッテリユニット２２が配置されるため、折り畳んだときの収納性、携帯性が一層向上する。
【００２５】
ここで、このバッテリユニット２２の外装に、エラストマー等、相手部材を傷付けにくい材質のものを用いたり、ゴム塗装等の柔かい材質のもので表面処理を施すと、表示画面１４に傷が発生しにくく好ましい。以下において説明する各種のユニット等についても同様である。
【００２６】
図６は、本発明の第３実施形態としての画像表示装置を示す、開いた状態の斜視図、図７は、図６に示す画像表示装置の閉じた状態の斜視図である。
【００２７】
この図６、図７に示す第３実施形態の画像表示装置３０にも、一方の枠体１２１に回動軸３１を介して連結されたバッテリユニット３２が備えられている。ただし、図４、図５に示す第２実施形態の場合は、図４に示すように、バッテリユニット２２は、２つの枠体１２１，１２２を連結する回動軸１１と平行な回動軸２１を介して一方の枠体１２２の端縁に連結されているが、図６、図７に示す第３実施形態の画像表示装置３０の場合は、回動軸１１とは直角の回動軸３１を介して一方の枠体１２１の側縁に連結されている。この第３実施形態のバッテリユニット３２も、前述の第２実施形態のバッテリユニット２２と同様、矢印Ａ方向に回動させて表示画面１４上に載せた収納位置と図７に示すようにその表示画面１４上から開いた使用位置との間で回動自在となっている。このバッテリユニット２２を矢印Ａ方向に回わして表示画面１４上に載せた収納位置に置いて枠体１２２を矢印Ｂ方向に閉じることにより、図７に示すように、バッテリユニット３２が表示画面１４に挟まれた状態に収納される。
【００２８】
この第３実施形態に示すような折り畳み方式によっても、収納性、携帯性の一層の向上が図られる。
【００２９】
図８は、本発明の第４実施形態としての画像表示装置を示す、開いた状態を示す図、図９は、その第４実施形態としての画像表示装置の、閉じた状態を示す図である。
【００３０】
ここに示す第３実施形態の画像表示装置４０には、一方の枠体１２１の側縁に回動軸４１を介して連結された操作ユニット４２と、もう一方の枠体１２２の側縁に回動軸４３を介して連結されたメモリドライブユニット４４が備えられている。操作ユニット４２は、この画像表示装置４０に各種指示を操作入力するための各種の操作ボタン等を備えたユニットであり、メモリドライブユニット４４は、そこにメモリ４５が装填されてそのメモリ４５に記憶されていた画像を取り込むユニットである。取り込まれた画像は、表示画面１４上に表示される。
【００３１】
これらの操作ユニット４２およびメモリドライブユニット４４は、いずれも、矢印Ａ，Ｂ方向に回動させて表示画面１４上に載せた収納位置と図８に示すように表示画面１４上から開いた使用位置との間で回動自在となっている。
【００３２】
また、この第４実施形態では、それらの操作ユニット４２とメモリドライブユニット４４を図８に示すように約９０°開いて机の上等に置くことにより表示画面１４を立てた状態に支持することができる。
【００３３】
これらの操作ユニット４２およびメモリドライブユニット４４を矢印Ａ，Ｂ方向に回わして表示画面１４上に重ね、枠体１２２を矢印Ｃ方向に回わして折り畳むことにより、図９に示すように、操作ユニット４２およびメモリドライブユニット４４の双方を表示画面１４で挟んだ状態に２つの枠体で覆うことができる。
【００３４】
図１０は、本発明の画像表示装置の第５実施形態を示す図、図１１は、その第５実施形態の画像表示装置の使用態様を示す図である。
【００３５】
この第５実施形態の画像表示装置５０は、一方の枠体１２２の端縁に回動軸５１を介してカメラユニット５２が連結されている。
【００３６】
このカメラユニット５２には、図１１に示す撮影レンズ５２１が備えられており、その内部には、その撮影レンズ５２１を通って入射してきた被写体を捉えて画像信号を生成する撮像素子（図示せず）が備えられている。また、カメラユニット５２が連結された一方の枠体１２２とは別の、もう一方の枠体１２１には、撮影に際しフラッシュ光を発する発生部５３が備えられており、暗所での撮影も可能となっている。
【００３７】
表示画面１４には、このカメラユニット５２での撮影により得られた画像信号に基づく画像が表示される。
【００３８】
このカメラユニット５２は、図１０に示す矢印Ａ方向に回動させて表示画面１４上に載せた収納位置と図１０に示すように表示画面１４上から開いた使用位置との間で回動自在となっており、このカメラユニット５２を矢印Ａ方向に回わして表示画面１４上に重ね、枠体１２１を矢印Ｂ方向に回わして折り畳むことにより、そのカメラユニット５２が表示画面１４に挟まれた状態に収納され外観上は図９とほぼ同様となる。
【００３９】
図１２は、本発明の第６実施形態の画像表示装置を示す図である。
【００４０】
この第６実施形態の画像表示装置６０には、一方の枠体１２２の端縁に回動軸６１を介して、表示画面１４を駆動する駆動回路６２１が内蔵された駆動ユニット６２が連結されている。この駆動回路６２１は、枠体１２２に搭載された回路基板１６に搭載された種々の回路と連携して、表示画面１４を駆動してその表示画面上に様々な画像を表示させる役割りを担っている。さらに、ここに示す例では、一方の枠体１２１に、撮影レンズ６３と撮像素子６４を含むカメラユニット６５が搭載されている。
【００４１】
この駆動ユニット６２は、図１２に示す矢印Ａ方向に回動させて表示画面１４上に載せた収納位置と図１２に示すように表示画面１４上から開いた使用位置との間で回動自在となっており、この駆動ユニット６２を矢印Ａ方向に回わして表示画面１４上に重ね、枠体１２１を矢印Ｂ方向に回わして折り畳むことにより、その駆動ユニット６２が表示画面１４に挟まれた状態に収納される。このときの外観は図３とほぼ同様である。
【００４２】
図１３は、本発明の第７実施形態の画像表示装置を示す図である。
【００４３】
この第７実施形態の画像表示装置７０には、一方の枠体１２１の端縁に、回動軸７１を介してＧＰＳ（ｇｌｏｂａｌ  ｐｏｓｉｔｉｏｎｉｎｇ  ｓｙｓｔｅｍ）用のアンテナが搭載されたＧＰＳアンテナユニット７２が連結されている。この第７実施形態の画像表示装置７０の表示画面１４上には、ＧＰＳから位置情報を受け取り、自分が置かれた位置を示す地図が表示される。
【００４４】
このＧＰＳアンテナユニット７２は、図１３に示す矢印Ａ方向に回動させてそのＧＰＳアンテナユニット７２を表示画面上に載せた収納位置と図１３に示すように表示画面１４上から開いた使用位置との間で回動自在となっており、このＧＰＳアンテナユニット７２を矢印Ａ方向に回わして表示画面１４上に重ね、枠体１２１を矢印Ｂ方向に回わして折り畳むことにより、そのＧＰＳアンテナユニット７２が表示画面１４に挟まれた状態に収納される。このときの外観は、図９とほぼ同様となる。
【００４５】
以上の第２実施形態から第７実施形態では、表示画面１４に挟まれた位置に様々なユニットを収納する例を示したが、本発明にいうユニットはこれらの例に限られるものではなく、どのような機能を有するユニットであっても成立する。
【００４６】
図１４は、本発明の第８実施形態の画像表示装置の断面図である。
【００４７】
図１〜図３に示す第１実施形態の画像表示装置１０の場合、外装１２を構成する２つの枠体１２１，１２２は、回動軸１１で連結されているが、図１４に示す第８実施形態の画像表示装置８０の場合は、２つの枠体１２１，１２２は、弾性部材８１を介在させて相互に連結されている。
【００４８】
このように、本発明の画像表示装置は、２つの枠体を回動軸で連結することに代えて、弾性部材で連結してもよい。
【００４９】
図１５は、本発明の第９実施形態の画像表示装置の開いた状態の断面図、図１６は、その第９実施形態の画像表示装置の閉じた状態の断面図、図１７は、その第９実施形態の画像表示装置を背面から見たときの開閉途中の状態を示す斜視図である。
【００５０】
これら図１５〜図１７に示す画像表示装置９０は、２つの枠体１２１，１２２がそれらの枠体１２１，１２２の肉厚よりも薄い肉厚を有する薄肉部９１で繋がっている。
【００５１】
このように、図１〜図３に示す第１実施形態の画像表示装置１０の回動軸１１や図１４に示す第８実施形態の画像表示装置８０の弾性部材８１に代わり、図１５〜図１７に示す第９実施形態の画像表示装置９０のように、２つの枠体１２１，１２２の間を薄肉部９１で繋いで開閉自在としてもよい。
【００５２】
また、この第９実施形態の画像表示装置９０は、図１７に示すように、その薄肉部９１を跨いで２つの枠体１２１，１２２に接続されたバネ部材９２を備えている。
【００５３】
図１８、図１９は、バネ部材の作用を示す、それぞれ、２つの枠体１２１，１２２が開いた状態および閉じた状態の薄肉部近傍を示す図である。
【００５４】
２つの枠体１２１，１２２が開いた状態では、図１８に示すように、バネ部材９２は薄肉部９１の外側に位置し２つの枠体１２１，１２２を開いた状態に保持する役割りを担うとともに、２つの枠体１２１，１２２が閉じた状態では、図１９に示すように、バネ部材９２は薄肉部９１の内側に位置し２つの枠体１２１，１２２を閉じた状態に保持する役割りを担っている。このように、このバネ部材９１を備えることによりこの画像表示装置９０は開状態と閉状態との双方で安定な状態となる。
【００５５】
図２０、図２１は、本発明の第１０実施形態の画像表示装置の、それぞれ開いた状態、および閉じた状態の斜視図である。
【００５６】
図２０に示すように、この画像表示装置２１０には、電池２１１がケーブル２１２を介して一方の枠体１２１に接続されている。また、２つの枠体１２１，１２２には、それぞれ、閉じたときに円形の穴２１３（図２１参照）が形成される半円形の切り欠き２１３ａ，２１３ｂが形成されている。
【００５７】
この画像表示装置２１０を図２０に示す開いた状態から図２１に示す閉じた状態に移行させるにあたっては、図２０に矢印Ａで示すように、ケーブル２１２を切り欠き２１３ｂに乗せて電池２１１を表示画面１４上に置き、次いで枠体１２１を矢印Ｂ方向に閉じる。こうすることにより、電池２１１が表示画面１４が折り畳まれたときの空間に配置され、携帯性、収納性の高い状態となる。
【００５８】
図２２、図２３は、本発明の第１１実施形態の画像表示装置の、それぞれ開いた状態および閉じた状態の断面図である。
【００５９】
例えば図１〜図３に示す第１実施形態の画像表示装置１００では、表示画面１４はその両端部が外装１２（２つの枠体１２１，１２２）に支持されているが、ここに示す第１１実施形態の画像表示装置２２０では、２つの枠体１２１，１２２を繋ぐ薄肉部９１の近傍に、それら２つの枠体１２１，１２２に両端が固定された保持部材２２１が配備されており、表示画面１４は、その中央部が、保持部材２２１に接着により保持されている。また、２つの枠体１２１，１２２の表示画面１４の両端の位置には、表示画面１４の両端を支える保持用ボス２２２，２２３が備えられている。表示画面１４は、それらの保持用ボス２２２，２２３には固定されておらず、図２２に示すように２つの枠体１２１，１２２が開いた状態にあるときは、その表示画面１４自体の剛性によりそれらの保持用ボス２２２，２２３の上に乗り、全体の平面性が保たれる構成となっている。
【００６０】
このように、表示画面１４は、図１〜図３に示す第１実施形態の画像表示装置１０のように両端部が保持されていてもよく、図２２〜図２３に示す第１１実施形態の画像表示装置２２０のように中央部が保持されていてもよい。
【図面の簡単な説明】
【００６１】
【図１】本発明の画像表示装置の第１実施形態の外観を示す図である。
【図２】図１に示す画像表示装置の開いた状態の断面図である。
【図３】図１を示す画像表示装置の閉じた状態の断面図である。
【図４】本発明の第２実施形態としての画像表示装置を示す、開いた状態の外観斜視図である。
【図５】図４に示す画像表示装置の閉じた状態の断面図である。
【図６】本発明の第３実施形態としての画像表示装置を示す、開いた状態の外観斜視図である。
【図７】図６に示す画像表示装置の閉じた状態の斜視図である。
【図８】本発明の第４実施形態としての画像表示装置を示す、開いた状態を示す図。
【図９】その第４実施形態としての画像表示装置の、閉じた状態を示す図である。
【図１０】本発明の画像表示装置の第５実施形態を示す図である。
【図１１】第５実施形態の画像表示装置の使用態様を示す図である。
【図１２】本発明の第６実施形態の画像表示装置を示す図である。
【図１３】本発明の第７実施形態の画像表示装置を示す図である。
【図１４】本発明の第８実施形態の画像表示装置の断面図である。
【図１５】本発明の第９実施形態の画像表示装置の開いた状態の断面図である。
【図１６】第９実施形態の画像表示装置の閉じた状態の断面図である。
【図１７】第９実施形態の画像表示装置を背面から見たときの開閉途中の状態を示す斜視図である。
【図１８】バネ部材の作用を示す、２つの枠体が開いた状態の薄肉部近傍を示す図である。
【図１９】バネ部材の作用を示す、２つの枠体が閉じた状態の薄肉部近傍を示す図である。
【図２０】本発明の第１０実施形態の画像表示装置の開いた状態の斜視図である。
【図２１】本発明の第１０実施形態の画像表示装置の閉じた状態の斜視図である。
【図２２】本発明の第１１実施形態の画像表示装置の開いた状態の断面図である。
【図２３】本発明の第１１実施形態の画像表示装置の閉じた状態の断面図である。
【符号の説明】
【００６２】
１０，２０，３０，４０，５０，６０，７０，８０，９０，２１０，２２０    画像表示装置
１１    回動軸
１２    外装
１２１，１２２    枠体
１４    表示画面
１４１    表示画面
１４２    押ボタン
１４３    メニュー画像
１５    タッチセンサ
１６    回路基板
１７    マイクロホン
１８    発音体
１９    バッテリ
２１    軸
２２    バッテリユニット
３１    回動軸
３２    バッテリユニット
４１    回動軸
４２    操作ユニット
４３    回動軸
４４    メモリドライブユニット
５１    回動軸
５２    カメラユニット
５２１    撮影レンズ
５３    発生部
６１    回動軸
６２    駆動ユニット
６２１    駆動回路
６５    カメラユニット
７１    回動軸
７２    ＧＰＳアンテナユニット
８１    弾性部材
９１    薄肉部
９２    バネ部材
２１１    電池
２１３    円形の穴
２１３ａ，２１３ｂ    半円形の切り欠き
２２１    保持部材
２２２，２２３    保持用ボス
【図１】
2006072115.tif 000003
【図２】
2006072115.tif 000004
【図３】
2006072115.tif 000005
【図４】
2006072115.tif 000006
【図５】
2006072115.tif 000007
【図６】
2006072115.tif 000008
【図７】
2006072115.tif 000009
【図８】
2006072115.tif 000010
【図９】
2006072115.tif 000011
【図１０】
2006072115.tif 000012
【図１１】
2006072115.tif 000013
【図１２】
2006072115.tif 000014
【図１３】
2006072115.tif 000015
【図１４】
2006072115.tif 000016
【図１５】
2006072115.tif 000017
【図１６】
2006072115.tif 000018
【図１７】
2006072115.tif 000019
【図１８】
2006072115.tif 000020
【図１９】
2006072115.tif 000021
【図２０】
2006072115.tif 000022
【図２１】
2006072115.tif 000023
【図２２】
2006072115.tif 000024
【図２３】
2006072115.tif 000025